(57)【特許請求の範囲】
【請求項１】
立設された左右の支柱間にフェンスパネルを掛け渡してなるフェンス装置であって、
左右の該支柱は、その下端側の部分が地面に打ち込まれて立設状態とされるものであり、
前記フェンスパネルは、左右の筒状体とフェンス部材とを具えており、該左右の筒状体は、立設された左右の前記支柱を挿通させ得る、軸線が垂直である挿通孔を有し且つ、該フェンス部材の左右の縁部を挿入させ得る左右の収容凹部が設けられており、
左右の前記縁部が左右の前記収容凹部に収容された状態で、左右の該縁部が、左右の該収容凹部の夫々で左右方向に移動でき、且つ該移動の範囲は規制部で規制されており、該移動によって、前記フェンスパネルの、該左右方向での長さが可変とされていることを特徴とするフェンス装置。
【請求項２】
立設された左右の支柱間にフェンスパネルを掛け渡してなるフェンス装置であって、
左右の該支柱は、その下端側の部分が地面に打ち込まれて立設状態とされるものであり、
前記フェンスパネルは、左右の筒状体とフェンス部材とを具えており、
該左右の筒状体は、立設された左右の前記支柱を挿通させ得る、軸線が垂直である挿通孔を有し且つ、該フェンス部材の左右の縁部を挿入させ得る、外方に向けて突出し且つその先端で開放する有底の左右の収容凹部が設けられてなる左右の収容筒部が、左右の前記筒状体の外面部で上下方向に延長して突設されており、
左右の前記収容凹部に収容された左右の前記縁部が、左右の該収容凹部の夫々で左右方向に移動でき、且つ該移動の範囲は規制部で規制されており、該移動によって、前記フェンスパネルの該左右方向での長さが可変とされていることを特徴とするフェンス装置。
【請求項３】
前記フェンス部材は、左右方向に延長する横線材と上下方向に延長する縦線材とが格子状に接合されてなる格子状パネルとして構成され、該フェンス部材の左右の前記縁部が左右の縁部材を介して、左右の前記収容凹部の夫々で左右方向に移動できるように構成されており、
前記縁部材の、前記収容凹部の上下方向に延長する一方の内側面部と対向する第１の面部には、前記格子状パネルの前記横線材の端側の部分を遊嵌させ得る嵌入溝が該第１の面部を横切って設けられ、該嵌入溝に遊嵌された該端側の部分が該嵌入溝で前記左右方向に移動でき、且つ前記縁部材の、前記収容凹部の底面部と対向する第２の面部には、端部に位置する前記縦線材が当接可能となされており、
又前記第２の面部の上下に、前記縁部を間に置いて、前記底面に向けて脚部が突設され、該脚部の先端が該底面に当接することによって前記第２の面部と前記底面部との間に調整間隙が設けられており、
前記調整間隙の前記底面部と前記第２の面部との間で、端部に位置する前記縦線材が前記左右方向に移動でき、該移動の範囲は、前記調整間隙の前記底面部と前記第２の面部としての規制部で規制されており、該移動によって、前記フェンスパネルの前記左右方向での長さが可変とされていることを特徴とする請求項２記載のフェンス装置。
【請求項４】
前記縁部の上下部の夫々に第１の係合部が設けられると共に前記収容凹部の上下部の夫々に第２の係合部が設けられており、該第２の係合部が該第１の係合部に対して前記左右方向に移動でき、且つ該移動の範囲は規制部で規制されており、該移動によって、前記フェンスパネルの前記左右方向での長さが可変とされていることを特徴とする請求項１又は２記載のフェンス装置。
【請求項５】
前記縁部の上下部の夫々に第１の係合部が設けられると共に前記収容凹部の上下部の夫々に第２の係合部が設けられており、該第１の係合部及び該第２の係合部の何れか一方は軸部として構成されると共にその他方は、左右方向に長い長孔又は溝部として構成されており、該軸部が該長孔又は該溝部に嵌合された状態で前記第２の係合部が前記第１の係合部に対して左右方向に移動でき，該移動の範囲は、該長孔又は該溝部の両端が前記規制部となって規制されており、該移動によって、前記フェンスパネルの前記左右方向での長さが可変とされていることを特徴とする請求項１又は２記載のフェンス装置。
【発明の詳細な説明】
【技術分野】
【０００１】
本発明は、敷地の周囲等に設置されるフェンス装置に関するものである。より詳しくは、立設された左右の支柱間にフェンスパネルを掛け渡してフェンスを構築するに際し、一般人にとっては、該支柱を垂直に立設することや該支柱間の間隔を所要に設定することが難しいことに鑑み、又該フェンスパネルの長さに製造誤差が生じていることもあることに鑑みて、一般人がフェンスを組み立て施工し易いように構成されたフェンス装置に関するものである。
【背景技術】
【０００２】
敷地の周囲等に設置される従来のフェンス装置の一例としては、例えば特許文献１、２、３が開示するフェンス装置が提供されている。これらのフェンス装置は何れも、所要間隔で立設された左右の支柱間にフェンスパネルをボルト固定によって取り付けるものであり、立設された支柱に設けた連結金具とフェンスパネルの左右の縁部に設けた連結金具とを、両連結金具の合致したボルト孔に連結ボルトを挿通しナットを締め付けることによって固定するものであった。そのため、該連結金具相互のボルト連結作業を施工現場において行わなければならず、しかもそのボルト連結箇所が多数であるために、該ボルト連結作業に多大な手間を要して作業能率が悪かった。そして、かかるボルト連結作業を適正に行うためには、支柱を精度よく垂直状態に立設すること、及び支柱間の間隔を精度よく所要に設定することが要求される。そのため、これらのフェンスの構築施工は専門業者によらざるを得なかった。
【０００３】
ところで近年は、フェンスの組み立て施工コストを低減するために、一般人が独自にフェンスを組み立て施工したいとの要求が高まりを見せている。前記したように、フェンスを組み立て施工する際に必要なことは、支柱を精度よく垂直に立設すること、及び支柱間の間隔を所要に設定することである。しかしながら一般人にとって、支柱を垂直に立設する施工を行うことや支柱間の間隔を所要に設定する施工を行うことは難しく、支柱が傾いた立設状態となったり、支柱間の間隔に広狭が生じ易い。このように支柱の垂直度や支柱間の間隔に施工誤差が生ずると、例えば特許文献１、２、３におけるようなボルト連結作業を行わんとする場合に、これを的確に行うことができない問題を生じさせてしまう。
【先行技術文献】
【特許文献】
【０００４】
【特許文献１】実開平６−２５４７２号公報
【特許文献２】特開２００３−７４２１７号公報
【特許文献３】実開平９−1 ９５５５９１号公報
【発明の概要】
【発明が解決しようとする課題】
【０００５】
本発明は前記従来の問題点に鑑みて開発されたものであり、立設された支柱間にフェンスパネルを掛け渡してフェンスを組み立て施工するに際して、支柱の垂直度や支柱間の間隔に施工誤差が生じた場合においても、又該フェンスパネルの長さに製造誤差が生じていても、一般人がフェンスを組み立て施工し易いフェンス装置の提供を課題とするものである。
【課題を解決するための手段】
【０００６】
前記課題を解決するため、本発明は以下の手段を採用する。
即ち本発明に係るフェンス装置の第１の態様は、立設された左右の支柱間にフェンスパネルを掛け渡してなるフェンス装置であって、左右の該支柱は、その下端側の部分が地面に打ち込まれて立設状態とされるものであり、前記フェンスパネルは、立設された左右の該支柱を挿通させ得る、軸線が垂直である挿通孔を有した左右の筒状体と該筒状体間に取り付けられるフェンス部材を具えており、前記フェンス部材の左右の縁部を挿入させ得る左右の収容凹部が左右の前記筒状体に設けられている。左右の前記縁部が左右の前記収容凹部に収容された状態で、左右の該縁部が、左右の該収容凹部の夫々で左右方向に移動でき、且つ該移動の範囲は規制部で規制されており、該移動によって、前記フェンスパネルの該左右方向での長さが可変とされていることを特徴とするものである。
【０００７】
本発明に係るフェンス装置の第２の態様は、立設された左右の支柱間にフェンスパネルを掛け渡してなるフェンス装置であって、左右の該支柱は、その下端側の部分が地面に打ち込まれて立設状態とされるものであり、前記フェンスパネルは、立設された左右の該支柱を挿通させ得る、軸線が垂直である挿通孔を有した左右の筒状体と該筒状体間に取り付けられるフェンス部材を具えており、前記フェンス部材の左右の縁部を挿入させ得る、外方に向けて突出し且つその先端で開放する有底の左右の収容凹部が設けられてなる左右の収容筒部が、左右の前記筒状体の外面部で上下方向に延長して突設されている。左右の前記収容凹部に収容された左右の前記縁部が、左右の該収容凹部の夫々で左右方向に移動でき、且つ該移動の範囲は規制部で規制されており、該移動によって、前記フェンスパネルの該左右方向での長さが可変とされていることを特徴とするものである。
【０００８】
本発明に係るフェンス装置の第３の態様は、前記第２の態様において、前記フェンス部材は、左右方向に延長する横線材と上下方向に延長する縦線材とが格子状に接合されてなる格子状パネルとして構成され、該フェンス部材の左右の前記縁部が左右の縁部材を介して、左右の前記収容凹部の夫々で左右方向に移動できるように構成されている。そして前記縁部材の、前記収容凹部の上下方向に延長する一方の内側面と対向する第１の面部には、前記格子状パネルの前記横線材の端側の部分を遊嵌させ得る嵌入溝が該第１の面部を横切って設けられ、該嵌入溝に遊嵌された該端側の部分が該嵌入溝で前記左右方向に移動でき、且つ前記縁部材の、前記収容凹部の底面部と対向する第２の面部には、端部に位置する前記縦線材が当接可能となされている。又前記第２の面部の上下に、前記縁部を間に置いて、前記底面部に向けて脚部が突設され、該脚部の先端が該底面部に当接することによって前記第２の面部と前記底面部との間に調整間隙が設けられている。そして、前記調整間隙の前記底面部と前記第２の面部との間で、端部に位置する前記縦線材が前記左右方向に移動でき、該移動の範囲は、前記調整間隙の前記底面部と前記第２の面部としての規制部で規制されており、該移動によって、前記フェンスパネルの前記左右方向での長さが可変とされていることを特徴とするものである。
【０００９】
本発明に係るフェンス装置の第４の態様は、前記第１又は前記第２の態様において、前記縁部の上下部の夫々に第１の係合部が設けられると共に前記収容凹部の上下部の夫々に第２の係合部が設けられている。そして、該第２の係合部が該第１の係合部に対して前記左右方向に移動でき、且つ該移動の範囲は規制部で規制されており、該移動によって、前記フェンスパネルの前記左右方向での長さが可変とされていることを特徴とするものである。
【００１０】
本発明に係るフェンス装置の第５の態様は、前記第１又は前記第２の態様において、前記縁部の上下部の夫々に第１の係合部が設けられている。そして、前記収容凹部の上下部の夫々に第２の係合部が設けられており、該第１の係合部及び該第２の係合部の何れか一方は軸部として構成されると共にその他方は、左右方向に長い長孔又は溝部として構成されている。該軸部が該長孔又は該溝部に嵌合された状態で前記第２の係合部が前記第１の係合部に対して左右方向に移動でき，該移動の範囲は、該長孔又は該溝部の両端が前記規制部となって規制されており、該移動によって、前記フェンスパネルの前記左右方向での長さが可変とされていることを特徴とするものである。
【発明の効果】
【００１１】
本発明によるときは、立設された左右の支柱間にフェンスパネルを掛け渡してフェンスを組み立て施工するに際して、支柱の垂直度や支柱間の間隔に施工誤差が生じた場合においても、又該フェンスパネルの長さに製造誤差が生じていても、一般人がフェンスを組み立て施工し易いフェンス装置を提供できる。
【００１２】
これをより詳しく説明する。本発明は、前記支柱の下端側の部分を地面に打ち込むこととし、左右の支柱を挿通させ得る左右の筒状体の軸線が垂直に形成され、且つ前記フェンスパネルの左右方向での長さが可変とされている。  
【００１３】
従って、支柱間の間隔に施工誤差があっても、又該フェンスパネルの左右方向での長さに製作誤差があっても、左右の前記筒状体を左右の支柱に挿通させさえすれば、前記フェンスパネルの長さ調整作用によって、左右の該支柱間にフェンスパネルを掛け渡すことができる。
【００１４】
又、支柱の垂直度に施工誤差があることは、立設状態にある左右の前記支柱を左右の前記筒状体に挿通させることができないことによって確認できるのであるが、この場合は、前記支柱の下端部分が地面に打ち込まれて立設されているために、該支柱を適宜の方向に押すことにより該支柱の垂直度を容易に矯正できる。これにより、左右の該支柱を左右の該筒状体に挿通させることができることとなる。この際、必要であれば前記フェンスパネルの前記左右方向での長さ調整作用も発揮され、これらによって、左右の該支柱間に前記フェンスパネルを掛け渡してフェンスを構築できることとなる。
【図面の簡単な説明】
【００１５】
【図１】本発明に係るフェンス装置を説明する斜視図である。
【図２】本発明に係るフェンス装置を説明する正面図である。
【図３】フェンスパネルの一態様を、立設された左右の支柱に対する取り付け要領と共に示す正面図である。
【図４】そのフェンスパネルの構成を説明する分解斜視図である。
【図５】そのフェンスパネルの左右方向での長さの変更を説明する説明図である。
【図６】そのフェンスパネルの左右方向での長さの変更を説明する説明図である。
【図７】そのフェンスパネルの左右方向での長さの変更を説明する説明図である。
【図８】そのフェンスパネルの左右方向での長さの変更を説明する説明図である。
【図９】フェンスパネルの他の態様を、立設された左右の支柱に対する取り付け要領と共に示す正面図である。
【図１０】そのフェンスパネルの構成を説明する分解斜視図である。
【図１１】そのフェンスパネルの左右方向での長さの変更を説明する説明図である。
【図１２】そのフェンスパネルの左右方向での長さの変更を説明する説明図である。
【図１３】そのフェンスパネルの左右方向での長さの変更を説明する説明図である。
【図１４】そのフェンスパネルの左右方向での長さの変更を説明する説明図である。
【図１５】左右の支柱を地面に立設した状態を示す正面図である。
【図１６】同種のフェンスパネルを用いて構成したフェンス装置を示す正面図である。
【図１７】同種のフェンスパネルを用いて構成したフェンス装置の他の態様を示す正面図である。
【発明を実施するための形態】
【実施例１】
【００１６】
図１〜６において本発明に係るフェンス装置１は、立設された左右の支柱２，２間にフェンスパネル３を掛け渡してなるフェンス装置である。該支柱２，２は共に、その下端側の部分５，５が地面６に打ち込まれて立設状態とされる。該フェンスパネル３は、図１〜３に示すように、立設された左右の該支柱２，２を挿通させ得る、軸線Ｌが垂直である挿通孔７を有した左右の筒状体９，９と該筒状体９，９間に取り付けられるフェンス部材１０とを具えている。
【００１７】
該フェンス部材１０は、本実施例においては左右対称形態を有するため、その左側部分の構成を説明する図４〜７を参照して具体的に説明すれば、該フェンス部材１０の左右の縁部１１，１１を挿入させ得る左右の収容凹部１２，１２が左右の前記筒状体９，９に設けられている。そして、左右の前記縁部１１，１１が左右の前記収容凹部１２，１２に収容された状態で、図５〜６示すように左右の該縁部１１，１１が、左右の該収容凹部１２，１２の夫々で左右方向Ｆに移動でき、且つ該移動の範囲は規制部１３で規制されており、該移動によって、前記フェンスパネル３（図１〜３）の該左右方向での長さが可変とされている。
【００１８】
前記筒状体９は、本実施例においては図３〜６に示すように、軸線Ｌが垂直である前記挿通孔７を有した円筒状体として構成されており、その内径は３５ｍｍ程度に設定されており、その上下長さは３００ｍｍ程度に設定されている。そして、前記フェンス部材１０の左右の前記縁部１１，１１を挿入させ得る、外方に向けて突出してその先端で開放する有底の左右の前記収容凹部１２，１２が設けられてなる左右の前記収容筒部１５，１５が、左右の前記筒状体９，９の外面部１４で上下方向に長く延長して突設されている。該収容凹部１２の深さは２５ｍｍ程度に設定されると共にその前後方向の幅は１２ｍｍ程度に設定され、その上下方向の長さは２９０ｍｍ程度に設定されている。
【００１９】
前記フェンス部材１０は、本実施例においては図３〜６に示すように、左右方向に延長する横線材１６と上下方向に延長する縦線材１７とが格子状に接合されてなる格子状パネル１０ａとして構成され、該フェンス部材１０の左右の前記縁部１１，１１が左右の縁部材１９，１９を介して、左右の前記収容凹部１２，１２で、左右方向Ｆに移動できるように構成されている。該フェンス部材１０の左右方向の長さは８２０ｍｍ程度で、上下方向の長さは２９０ｍｍ程度であり、該横線材１６と該縦線材１７の径は共に４ｍｍ程度に設定されている。  
【００２０】
前記縁部材１９は、本実施例においては図４〜６に示すように、上下に長い横断面矩形状の棒状体として構成されており、その上下方向の長さは２９０ｍｍ程度に設定され、その左右幅は２４ｍｍ程度に設定され、その前後幅は１１ｍｍ程度に設定されている。そして該縁部材１９の、前記収容凹部１２の上下方向に延長する一方の内側面部２０と対向する第１の面部２１には、前記格子状パネル１０ａの前記横線材１６の端側の部分２２を遊嵌させ得る嵌入溝２３が該第１の面部２１を横切って設けられている。
【００２１】
該嵌入溝２３に遊嵌された該端側の部分２２が該嵌入溝２３で前記左右方向Ｆに移動できる。ここに遊嵌とは、嵌め込まれた状態が遊びをもった嵌め合いの状態にあることをいう。本実施例においては、該嵌入溝２３の左右方向の幅が１６ｍｍ程度に設定されると共に該嵌入溝２３の前後方向の幅は５ｍｍ程度に設定されている。該嵌入溝２３の溝底２５の両側部分２６，２６( 図４) は円弧面状を呈しており、本実施例においては、前記横線材１６の外周面に沿う半径４ｍｍ程度の円弧状面を呈している。又前記嵌入溝２３の開放端の幅は７ｍｍ程度に設定されている。
【００２２】
又前記縁部材１９の、前記収容凹部１２の底面部２７と対向する第２の面部２９には、図５〜６に示すように、端部に位置する前記縦線材１７ａが当接可能となされている。そして該第２の面部２９の上下に、前記縁部１１を間に置いて、該底面部２７に向けて脚部３０，３０が突設され、該脚部３０，３０の先端３１，３１が該底面部２７に当接することによって、該第２の面部２９と該底面部２７との間に調整間隙３２が設けられている。該脚部３０，３０の突出長さは例えば８ｍｍ程度とされている。従って、該調整間隙３２の左右方向の長さは８ｍｍ程度であり且つ端部に位置する前記縦線材１７ａの径が４ｍｍ程度であることから、該調整間隙３２に存する前記縦線材１７ａは、４ｍｍ程度、前記左右方向で移動できる。
【００２３】
図４は、前記格子状パネル１０ａの左右の前記縁部１１，１１に左右の前記縁部材１９，１９を装着した状態を示しており、該格子状パネル１０ａの前記横線材１６の前記端側の部分２２を前記縁部材１７に設けられている前記嵌入溝２３の夫々に遊嵌させることによって、該縁部材１９が該縁部１１，１１に装着されている。図５〜６は、このようにして格子状パネル１０ａの左右の縁部１１，１１に装着された該縁部材１９，１９を、前記脚部３０，３０を前記収容凹部１２の底面部２７側に向けて、該収容凹部１２に略密接して収容した状態を示している。そして本実施例においては図４、図７に示すように、このように収容された状態にある該縁部材１９の上部３３とその下部３５にはネジ孔３６，３７が設けられており、該ネジ孔３６，３７に、前記収容筒部１５の上下の面部３９、４０に設けた挿通孔４１，４２を外側から挿通するビス４３，４５をねじ込むことによって、該縁部材１９が前記収容筒部１５，１５に固定されている。
【００２４】
該固定状態で、前記第２の面部２９と対向する第３の面部４６は、図５〜６に示すように、前記収容筒部１５の先端４７から若干控えて位置した状態で、前記収容凹部１２の開放端４９（図４、図７）を略覆った状態を呈している。そして前記したように、この固定状態で左右の前記縁部１１，１１が左右の前記収容凹部１２，１２に挿入された状態にあり、図５〜６、図８に示すように、該縁部１１，１１が左右の前記収容凹部１２，１２の夫々で前記左右方向Ｆに移動できる。そしてこの移動の範囲は、前記調整間隙３２の前記底面２７及び前記第２の面部２９としての前記規制部１３で規制される。
【００２５】
図９〜１３は前記フェンスパネル３の他の態様を示すものであり、これを構成する前記フェンス部材１０の上下部の夫々に第１の係合部５０，５０が設けられると共に前記収容凹部１２の上下部の夫々に第２の係合部５１，５１が設けられている。そして、該第２の係合部５１，５１が該第１の係合部５０，５０に対して前記左右方向に移動でき、且つ該移動の範囲は規制部１３（図１３）で規制されており、該移動によって、前記フェンスパネル３の前記左右方向の長さが可変とされている。
【００２６】
本実施例においては図１３〜１４に示すように、該第１の係合部５０及び該第２の係合部５１の何れか一方は軸部５２として構成されると共にその他方は、左右方向に長い長孔５３として構成されている。そして、該軸部５２が該長孔５３に嵌合された状態で前記第２の係合部５１が前記第１の係合部５０に対して左右方向Ｆに移動でき，該移動の範囲は図１３〜１４に示すように、該長孔５３の両端が前記規制部１３となって規制されており、該移動によって、前記フェンスパネル３の前記左右方向での長さが可変とされている。
【００２７】
前記フェンス部材１０は、本実施例においては左右対称形態を有するため、その左側部分の構成を説明する図１１〜１３を参照して具体的に説明すれば、左右方向に延長する横断面長方形状を呈する扁平な角筒パイプ５５の複数本と、全ての該角筒パイプ５５の両端部分５６，５６を保持して前記フェンス部材１０の左右の縁部１１，１１となる左右の保持部材５７、５７とから構成されている。
【００２８】
本実施例においては、該角筒パイプ５５の６本が上下方向に所要間隔を置いて平行状態で配置されており、該角筒パイプ５５の上下幅は３０ｍｍ程度、その前後幅は７ｍｍ程度、その左右方向の長さは８２０ｍｍ程度に設定されている。これらの各角筒パイプ５５の左右の端部分５６，５６に前記保持部材５７，５７を装着する。左右の該保持部材５７，５７は、左右の前記収容凹部１２，１２に収容されるもので、上下方向に長い横断面矩形状を呈しており、前記角筒パイプ５５の左右の前記端部分５６，５６の夫々を略密接状態で挿入するための矩形状の挿入凹部５９( 図１１) が多段に設けられている。
【００２９】
然して、前記の各角筒パイプ５５の夫々の、左右の前記端部分５６，５６を、左右の前記保持部材５７，５７の対向する左右の前記挿入凹部５９，５９に略密接状態で挿入することによって、図９に示す前記フェンス部材１０を構成できる。該フェンス部材１０の左右方向の長さは９００ｍｍ程度に、上下方向の長さは３００ｍｍ程度に設定されている。
【００３０】
該フェンス部材１０は、例えば図１３〜１４に示すように上下端の前記角筒パイプ５５ａ、５５ａが、左右の前記保持部材５７，５７の上下の面部６０，６１に設けたネジ孔６２，６２に螺合するビス６３を用いて左右の該保持部材５７，５７に固定されており、これによって、全ての前記角筒パイプ５５と左右の前記保持部材５７とが一体化されて前記フェンスパネル３が構成されている。
【００３１】
そして、各保持部材５７の前記上下の面部６０，６１には、図１３〜１４に示すように、左右方向に長い前記長孔５３，５３が設けられており、又、前記収容筒部１５の上下の面部６７，６９に設けたネジ孔７０、７０に、該長孔５３，５３に先端部分７１が嵌合される前記軸部５２としてのネジ軸５２ａがねじ込まれている。これによって、左右の前記縁部１１，１１が、前記長孔５３内における該先端部分７１の左右方向での移動によって、左右の前記縁部１１，１１が、左右の前記収容凹部１２，１２の夫々で左右方向に移動できる。例えば、片方の収容凹部で４ｍｍ程度、左右方向に移動できる。
【００３２】
次に、かかる構成を有する前記２種類のフェンスパネル３ａ，３ｂを用いて図２に示すフェンスを組み立て施工する要領を説明する。説明の便宜上、前記フェンス部材１０が前記格子状パネル１０ａからなるフェンスパネル３を第１のフェンスパネル３ａといい、前記フェンス部材１０が前記角筒パイプ５５を用いてなるフェンスパネルを第２のフェンスパネル３ｂとする。
【００３３】
先ず図１５に示すように、左右の前記筒状体９，９の夫々に挿通される左右の前記支柱２，２を地面６に所要間隔で且つ垂直状態で立設する。該支柱２は、その上下長さが例えば１８０ｃｍに設定され、その下端側の３０ｃｍ長さ部分が地面６に打ち込まれて立設される。
【００３４】
その後、例えば前記第１のフェンスパネル３ａの２枚と前記第２のフェンスパネル３ｂの１枚を、この順序で左右の前記支柱２，２間に掛け渡し状態で取り付ける。これらのフェンスパネル３の取り付けは、左右の前記筒状体９，９に左右の前記支柱２，２を挿通させて行う。これら３枚のフェンスパネル３，３，３は単に順次積み重ねた状態とし、最上段のフェンスパネル（本実施例においては前記第１のフェンスパネル３ｂ）を支柱２に固定することでもよいのであるが、本実施例においては図４に示すように設けられている、前記筒状体９の外面部１４の上下に設けられている固定ネジ７５，７５を、その先端を前記支柱２の外面に押圧するように締め付けることによって該フェンスパネル３を該支柱２により安定状態に固定している。このように該固定ネジ７５を用いて該筒状体９を該支柱２に固定する場合は、上下のフェンスパネル３，３を、所要間隔を設けて前記支柱２，２間に掛け渡し状態とすることもできる。
【００３５】
本実施例で示すように、前記第１のフェンスパネル３ａを左右の前記支柱２，２間の下側に配置する場合は、格子状を呈する前記フェンス部材１０を、植物を誘引させて植物栽培を行うためにも利用できる。
【００３６】
このようにしてフェンスを組み立て施工できるのであるが、前記フェンスパネル３を工場生産により精度よく製造しておけば、該フェンスパネル３の左右側に設けられている前記筒状体９，９の前記挿通孔７，７に左右の前記支柱２，２を挿通させるという簡易な作業で、立設された左右の支柱２，２間に該フェンスパネル３を掛け渡す作業を完了できる。
【００３７】
このように、左右の前記筒状体９，９を左右の前記支柱２，２に挿通させるだけで、立設された左右の支柱２，２間に前記フェンスパネル３を掛け渡すことができることから、立設された支柱に設けた連結金具とフェンスパネルの左右の縁部に設けた連結金具とを連結ボルトを用いて固定する特許文献１〜３に係るフェンスにおけるような、多数個所のボルト連結作業が全く不要となる。かかることから本発明によるときは、フェンスの組み立て施工を簡易に行うことができる利点がある。
【００３８】
ところで、かかる施工を一般人が行わんとする場合は、前記支柱２の立設に際して、該支柱２が、垂直状態から若干傾いた立設状態となったり、支柱２，２間の間隔に若干の広狭が生じることがある。このように、支柱２の垂直度や支柱２，２間の間隔に施工誤差が生じた場合においても、更には、前記フェンスパネル３の長さに製造誤差が生じていたとしても、本発明によるときは、一般人がフェンスを組み立て施工し易いという大きな利点がある。
【００３９】
これをより詳しく説明する。本発明は、前記支柱２の下端側の部分５を地面６に打ち込むこととし、左右の支柱２，２を挿通させ得る左右の筒状体９，９の軸線が垂直に形成され、且つ前記フェンスパネルの左右方向での長さが可変とされている。従って、支柱２，２間の間隔に施工誤差があっても、又該フェンスパネル３の左右方向での長さに製造誤差があっても、該フェンスパネル３の前記長さ調整作用によって、左右の前記筒状体９，９の前記挿通孔７，７に左右の前記支柱２，２を挿通させさえすれば、左右の該支柱２，２間にフェンスパネル３を掛け渡すことができる。
【００４０】
このケースは、左右の該支柱２，２を正確に垂直に立設できた場合のことであるが、該支柱２，２の垂直度に施工誤差が生じることもある。該支柱２の垂直度に施工誤差があることは、立設状態にある左右の前記支柱２，２を左右の前記筒状体９，９の挿通孔７，７に挿通させることができないことによって確認できる。この場合は、前記支柱２の下端部分５が、地面６に打ち込まれて立設されているために、該支柱２を適宜の方向に押すことにより該支柱２の垂直度を矯正できる。これにより、左右の該支柱２，２を左右の該筒状体９，９の前記挿通孔７，７に挿通させ得ることとなる。この際、必要であれば前記フェンスパネル３の前記左右方向での長さ調整作用も発揮され、これらによって、左右の該支柱２，２間に前記フェンスパネル３を掛け渡してフェンスを構築できることとなる。
【００４１】
本発明によるときは、これらとは別にフェンスの美観向上及びフェンスの耐久性向上も期し得ることとなる。即ち、特許文献１〜３に図示されているフェンスにあっては、立設された支柱に設けた連結金具とフェンスパネルの左右の縁部に設けた連結金具とをボルト連結した状態で、連結金具や連結ボルト、ナットがむき出しとなるため、フェンスの美感を損なう問題があった他、ボルトの腐食によるフェンスの強度低下を招く問題もあったのであるが、かかるボルト連結を行わない本発明に係るフェンスによるときは、フェンスの美観向上を図ることができ、又フェンスの耐久性向上を図り得る。
【実施例２】
【００４２】
本発明は、前記実施例で示したものに限定されるものでは決してなく、「特許請求の範囲」の記載内で種々の設計変更が可能であることはいうまでもない。その一例を挙げれば次のようである。
【００４３】
（１）前記フェンスパネル３を構成する前記フェンス部材１０は、前記したものの他、１枚板状に構成することもでき、これに所要の装飾用開口等を設けることもできる。又、前記フェンス部材１０を１枚の網状板として構成することもできる。又前記フェンス部材１０は、前記第２のフェンスパネル３ｂを構成する前記角筒パイプ５５に代えて各種の横断面形状を有する角筒パイプや中実棒材等を用いて構成することもできる。該角筒パイプや該中実棒材等の配置は、上下方向でも左右方向でも斜め方向でもよい。
【００４４】
（２）前記角筒パイプ５５を用いる前記第２のフェンスパネル３ｂにおいては、前記保持部材５７の上下の面部６０，６１に、左右方向に長い長孔５３を設ける一方、前記収容筒部１５の上下の面部６７，６９にネジ軸５２ａ，５２ａを設けて構成しているが、これとは逆に、前記収容筒部１５の前記上下の面部６７，６９に、左右方向に長い長孔５３を設ける一方、前記保持部５７の上下の面部６０，６１に、該長孔５３に先端部分が嵌合されるネジ軸等からなる軸部５２を設けることもできる。
【００４５】
（３）前記実施例で示したように、前記フェンス部材１０を格子状パネルとして構成する場合も、該縁部１１の上下部の夫々に第１の係合部（長孔や軸部）５０，５０を設けると共に前記収容筒部１５の上下部の夫々に第２の係合部（軸部や長孔）５１，５１を設け、該第２の係合部５１，５１が該第１の係合部５０，５０に対して前記左右方向に移動できる如くなし、且つ該移動の範囲を前記規制部１３で所要に規制し、該移動によって、前記フェンスパネル３の前記左右方向での長さを可変とすることも可能である。
【００４６】
（４）前記実施例で示したように前記フェンス部材１０を前記角筒パイプ５５を以って構成する場合も夫々の該角筒パイプ５５を前記保持部材５７から外方に突出させ、該突出する部分を、前記と同様構成の縁部材１９の嵌入溝に遊嵌させ、又該縁部材１９の上下に前記脚部３０，３０を突設することによって前記と同様に調整間隙３２を設け、前記フェンスパネル３の前記左右方向での長さを可変とすることもできる。
【００４７】
（５）左右の前記筒状体９，９に設ける前記収容筒部１５，１５等を以ってなる収容凹部は、該筒状体９，９の上下方向に連続して設けることの他、該筒状体９，９の例えば上下部分に独立して設けられたり、該筒状体の上下方向の中間部分にのみ設けられることもある。そしてこれらの場合、該収容凹部１２に挿入される前記縁部１１が前記フェンス部材１０に設けられる。
【００４８】
（６）前記第１の係合部５０及び前記第２の係合部５１の何れか一方を軸部５２として構成する場合、その他方は、左右方向に長い有底の長溝として構成されることもある。
【００４９】
（７）前記フェンス装置１を複数のフェンスパネル３を上下方向に配設してフェンスを構成する場合、用いるフェンスパネルは同種であっても異種であってもよい。図１６は、前記第１のフェンスパネル３ａのみを３段に積重してフェンスを構成した場合を示し、図１７は、前記第２のフェンスパネル３ｂのみを３段に積重してフェンスを構成した場合を示している。
【００５０】
（８）本発明に係るフェンス装置１は、平坦地の他、傾斜地で支柱を立設してフェンスを組み立て施工する際にも応用できる。又、左右一対の支柱を一組として、該支柱の組を延長方向に順次立設することによって、フェンスを所望長さに延長できる。
【符号の説明】
【００５１】
１  フェンス装置
２  支柱
３  フェンスパネル
７  挿通孔
９  筒状体
１０  フェンス部材
１１  縁部
１２  収容凹部
１３  規制部
１４  外面部
１５  収容筒部
１６  横線材
１７  縦線材
１９  縁部材
２１  第１の面部
２２  端側の部分
２３  嵌入溝
２５  溝底
２７  底面
２９  第２の面部
３０  脚部
３２  調整間隙
４６  第３の面部
５０  第１の係合部
５１  第２の係合部
５２  軸部  
５３  長孔
５７  保持部材
【図１】
0006982900.tif 000002
【図２】
0006982900.tif 000003
【図３】
0006982900.tif 000004
【図４】
0006982900.tif 000005
【図５】
0006982900.tif 000006
【図６】
0006982900.tif 000007
【図７】
0006982900.tif 000008
【図８】
0006982900.tif 000009
【図９】
0006982900.tif 000010
【図１０】
0006982900.tif 000011
【図１１】
0006982900.tif 000012
【図１２】
0006982900.tif 000013
【図１３】
0006982900.tif 000014
【図１４】
0006982900.tif 000015
【図１５】
0006982900.tif 000016
【図１６】
0006982900.tif 000017
【図１７】
0006982900.tif 000018